(57)【要約】      （修正有）【課題】複数の骨壷を個別に整然と収納できると共に、骨壷の出し入れを専用の扉から行うことができる、屋外に設置できる外観良好な納骨墓を提供する。【解決手段】納骨墓１は、多角柱体５の一部を構成するブロック体（例えば三角柱体）２に、ブロック体２の側面側に開放する空洞状の１乃至複数の納骨室を形成し、納骨室近傍に納骨室の開放口を開閉自在の扉体４を設け、ブロック体を複数組み合わせて全体として多角柱体の墓を形成する。扉体は、納骨室の開放口近傍に回転自在に設け、扉体の外側面には扉体を開閉するための把手６を設ける。多角柱体の中心部には、上下方向に貫通する中心孔を形成する。又、多角柱体の中心孔を上方から覆う蓋体を設け、多角柱体の地上下端部の側方には、環状多角柱体１５を複数ブロックを組み合わせて配設する。【選択図】図１
0003232001.tif 000002
【実用新案登録請求の範囲】
【請求項１】
多角柱体の一部を構成するブロック体に、前記ブロック体の側面側に開放する空洞状の複数の納骨室が形成され、前記納骨室近傍に前記納骨室の開放口を開閉自在の扉体が設けられ、前記ブロック体を複数組み合わせ、積み重ね、又は、隣接させて全体として多角柱体の墓を形成することを特徴とする納骨墓。
【考案の詳細な説明】
【技術分野】
【０００１】
本考案は、複数の骨壷を個別に整然と収納できると共に、屋外に設置できる外観良好な墓である納骨墓に関するものである。
【背景技術】
【０００２】
従来、墓に埋葬される骨壷は、一般に、墓の地下に設けられた石室に収納される。この石室は、墓の地下にあることから、湿気が多く、暗いイメージがあり、又、収納スペースも限られており、納骨作業も容易に行えない等の問題があった。そこで、例えば、特許文献１には、納骨室の湿気をなくし、換気を良くし、多数の骨を収納し、墓地の有効利用を図ることができる供養塔が記載されている。
【先行技術文献】
【特許文献】
【０００３】
【特許文献１】実用新案登録第３０４１７９９号公報
【考案の概要】
【考案が解決しようとする課題】
【０００４】
前述したように、特許文献１には、納骨室の湿気をなくし、換気を良くし、多数の骨を収納できる供養塔が記載されているが、この供養塔は、基礎上に置かれた胴部内に納骨室が形成され、納骨室内に骨壷を多数乗せる櫓構造の載骨架台が設けられ、胴部に納骨室の骨壷を出し入れする扉が形成されている。従って、特許文献１の供養塔は、納骨室に多数の骨壷が収納され、骨壷の出し入れは、共通する比較的大きな扉を開閉して行う。然しながら、骨壷は個別に収納されることを望む場合があり、又、扉も、開けた時に他の骨壷が見えないように個別に設けられることを望む場合がある。
【０００５】
以上の現状に鑑み、本考案は、複数の骨壷を個別に整然と収納できると共に、骨壷の出し入れを専用の扉から行うことができる、屋外に設置できる外観良好な納骨墓を提供することを目的とする。
【課題を解決するための手段】
【０００６】
上記の課題を解決すべく、本考案は以下の構成を提供する。
請求項１に係る考案は、多角柱体の一部を構成するブロック体に、前記ブロック体の側面側に開放する空洞状の複数の納骨室が形成され、前記納骨室近傍に前記納骨室の開放口を開閉自在の扉体が設けられ、前記ブロック体を複数組み合わせ、積み重ね、又は、隣接させて全体として多角柱体の墓を形成することを特徴とする納骨墓を提供するものである。
【０００７】
前記多角柱体の中心部に上下方向に貫通する中心孔が形成されることが好ましい。
【０００８】
前記多角柱体の中心孔を上方から覆う蓋体が設けられることが好ましい。
【０００９】
前記蓋体の下面部には前記中心孔に嵌入して前記蓋体の動きを制限する嵌入部が設けられていることが好ましい。
【００１０】
前記蓋体の下面部には複数の円弧状溝が形成され、前記円弧状溝は、円弧方向の一方向に向かって漸次溝入口の幅が狭くなるように形成され、一方、前記多角柱体の上面の前記中心孔近傍には、上方に向かってテーパ状に拡がる複数の係合突起が前記円弧状溝に対応して設けられ、前記係合突起を前記円弧状溝に挿入し、前記蓋体を前記円弧状溝の円弧方向に回転させると前記蓋体がロックされるように構成されていることが好ましい。
【００１１】
前記多角柱体の下端部は地中に埋設され、前記多角柱体の地上下端部の側方には、前記多角柱体を取り囲む如く、前記扉体の開閉を妨げない高さの環状多角柱体が配設され、前記多角柱体と、前記環状多角柱体との隙間には小石が敷き詰められることが好ましい。
【００１２】
多角柱の一部を構成するブロック体に、前記ブロック体の側面側に開放する空洞状の１乃至複数の納骨室が形成され、前記納骨室近傍に前記納骨室の開放口を開閉自在の蓋体が設けられ、前記ブロック体を複数組み合わせ、積み重ね、又は、隣接させて全体として多角柱体の一部を構成する墓を形成することが好ましい。
【００１３】
前記扉体は前記納骨室の開放口近傍に回転自在に設けられ、前記扉体の外側面には前記扉体の開閉するための把手が設けられていることが好ましい。
【考案の効果】
【００１４】
本考案によれば、複数の骨壷を個別に整然と収納できると共に、骨壷の出し入れを専用の扉から行うことができる、屋外に設置する外観良好な墓である納骨墓を提供することができる。
【図面の簡単な説明】
【００１５】
【図１】本考案による納骨墓の斜視図である。
【図２】（ａ）本考案による納骨墓の平面図である。（ｂ）本考案による納骨墓の正面図である。
【図３】（ａ）本考案による蓋体の斜視図である。（ｂ）本考案による多角柱体の斜視図である。
【図４】（ａ）本考案による納骨室の扉体を閉めた状態を示す水平断面図である。（ｂ）本考案による納骨室の扉体を開けた状態を示す水平断面図である。
【図５】本考案による第１変形例の蓋体の斜視図である。
【図６】（ａ）本考案による第２変形例の蓋体の裏面図である。（ｂ）前図（ａ）に示すＡ−Ａ線断面図である。（ｃ）本考案による第２変形例の蓋体に対応する係合突起を説明する正面図である。（ｂ）本考案による第２変形例の蓋体に対応する係合突起を説明する平面図である。
【図７】本考案による第１変形例の多角柱体の斜視図である。
【図８】（ａ）本考案による第２変形例の多角柱体を用いた納骨墓の平面図である。（ｂ）本考案による第２変形例の多角柱体を用いた納骨墓の正面図である。
【図９】本考案による第３変形例のブロック集合体の斜視図である。
【考案を実施するための形態】
【００１６】
以下、実施例を示した図面を参照しつつ本考案の実施の形態を説明する。
図１及び図２に於いて、１は、本考案の納骨墓であり、納骨墓１は、多角柱体の一部を構成する石材等から成るブロック体（例えば三角柱体）２に、ブロック体２の側面側に開放する空洞状の１乃至複数の図４に示す納骨室３が形成され、納骨室３近傍に納骨室３の開放口を開閉自在の扉体４が設けられ、図１及び図２に示すように、ブロック体２を複数組み合わせ、又は、隣接させて全体として多角柱体５の墓を形成したものである。図１及び図２は、縦長のブロック体（例えば三角柱体）２を起立させた状態で隣接させ、八角柱となるように形成したものである。
【００１７】
前記扉体４は図４に示す如く、納骨室３の開放口近傍に軸支されて回転自在に設けられ、扉体４の外側面には扉体４を開閉するための把手６が設けられている。尚、扉体４は鉄板や、樹脂等で形成されても良い。又、扉体４の軸支方法としては、ブロック体２と扉体４とに凹部と凸部を形成しても良いが、ブロック体２と扉体４とに夫々凹部を形成して、双方の凹部内に、伸縮自在のピン等を挿入することも可能である。
【００１８】
そして、図３に示す如く、多角柱体５の中心部には、通常、上下方向に貫通する中心孔７が形成される。具体的には、予め各ブロック体２に中心孔７の該当部分を形成しておき、各ブロック体２を組み合わせた時に、多角柱体５に中心孔７が形成される。又、多角柱体５の中心孔７を上方から覆うために例えば円板状の蓋体８が設けられる。
【００１９】
前記蓋体８に代えて、図５に示す第１変形例の蓋体９を設けてもよい。
蓋体９は、蓋体本体の下面部に前記中心孔７に嵌入して蓋体９の動きを制限する嵌入部１０が設けられたものであり、嵌入部１０を中心孔７に嵌入させるようにして、蓋体９を、多角柱体５の上面に載置すれば、嵌入部１０が中心孔７から外れない限り、蓋体９は、多角柱体５の上面に載置状態で保持される。又、前記蓋体８に代えて、図６に示す第２変形例の蓋体１１を設けてもよい。
【００２０】
蓋体１１は、蓋体１１の下面部に複数の円弧状溝１２が形成され、円弧状溝１２は、円弧方向の一方向に向かって漸次溝入口の幅が狭くなるように形成され、一方、多角柱体５の上面の中心孔７近傍には、上方に向かってテーパ状に拡がる複数の係合突起１３が前記円弧状溝１２に対応して設けられ、係合突起１３を円弧状溝１２に挿入し、蓋体１１を円弧状溝１２の円弧方向に回転させると蓋体１１がロックされるように構成されている。尚、係合突起１３は、多角柱体５と同じ材料で形成されるが、強度を持たせるために金属製品等で形成しても良い。又、前記蓋体１１に円弧状溝１２が形成され、多角柱体５に係合突起１３が設けられる構成に代えて、前記蓋体１１に係合突起１３が設けられ、多角柱体５に円弧状溝１２が形成されても良い。
【００２１】
図３に示す如く、多角柱体５は、下端部に地中に埋設される埋設部分１４が形成されており、埋設部分１４は、図１及び図２に示す如く、地中に埋設され、多角柱体５の地上下端部の側方には、多角柱体５を取り囲む如く、扉体４の開閉を妨げない高さの環状多角柱体１５が複数ブロックを組み合わせて配設され、多角柱体５と、環状多角柱体１５との隙間には小石１６が敷き詰められる。
【００２２】
図７に於いて２１は、前記図１に示した多角柱体５に代えて用いられる第１変形例の多角柱体であり、多角柱体２１は、ブロック体２２に１つの納骨室（図示せず）が形成され、従って１つの扉体４が設けられ、ブロック体２２を水平方向に複数組み合わせ、又は、隣接させて全体として多角柱体に形成したものである。図７は、ブロック体２２を起立させた状態で水平方向に隣接させ、八角柱となるように形成したものである。そして、多角柱体２１の中心部には、上下方向に貫通する中心孔２３が形成されている。尚、図示は省略されているが、多角柱体２１の下端部には地中に埋設される埋設部分（図３に於いて１４）が形成される。
【００２３】
図８に於いて３１は、前記図１に示した多角柱体５に代えて用いられる第２変形例の多角柱体であり、多角柱体３１は、ブロック体（三角柱体）３２に１つの納骨室（図示せず）が形成され、従って１つの扉体４が設けられ、ブロック体３２を水平方向に複数組み合わせると共に、垂直方向に積み重ねて、形成したものであり、全体として多角柱体を形成する。図８は、ブロック体２を起立させた状態で水平方向に複数組み合わせ、垂直方向に５段積み重ね、全体として八角形の多角柱体３１を形成したものである。そして、多角柱体３１の中心部には、上下方向に貫通する中心孔（図示せず）が形成されている。図８には、前記蓋体８及び前記環状多角柱体１５も配設して納骨墓を完成させた状態を示してある。尚、図示は省略するが、多角柱体３３の下端部（即ち、最下段ブロック体３２の下端部）には地中に埋設される埋設部分（図３に於いて１４）が形成される。
【００２４】
図９に於いて４１は、前記多角柱体（図１に於いて５）代えて用いられる第３変形例のブロック集合体であり、ブロック集合体４１は、前記図７に示したブロック体２２を複数組み合わせ、又は、隣接させて全体として多角柱体の一部を形成するものである。場合によっては、積重ねることも可能である。
【００２５】
図９は、その具体例として、ブロック体２２を水平方向に複数組み合わせ、又は、隣接させて全体として八角柱体の一部を形成したブロック集合体である。そして、ブロック集合体４１には、前記多角柱体（図７に於いて２１）に形成された中心孔（図７に於いて２３）の一部に相当する切欠き部４２が形成されている。
【符号の説明】
【００２６】
１  納骨墓
２，２２，３２  ブロック体
３  納骨室
４  扉体
５，２１，３１  多角柱体
６  把手
７，２３  中心孔
８，９，１１  蓋体
１０  嵌入部
１２  円弧状溝
１３  係合突起
１４  埋設部分
１５  環状多角柱体
１６  小石
【図１】
0003232001.tif 000003
【図２】
0003232001.tif 000004
【図３】
0003232001.tif 000005
【図４】
0003232001.tif 000006
【図５】
0003232001.tif 000007
【図６】
0003232001.tif 000008
【図７】
0003232001.tif 000009
【図８】
0003232001.tif 000010
【図９】
0003232001.tif 000011